(57)【要約】【課題】  浮力により起立する防水板に関する情報を取得することができる防水装置、防水装置監視システム及び防水装置監視方法を提供することを目的とする。【解決手段】  本発明に係る防水装置は、浮力により起立する防水板１１で水を堰き止める防水装置１０であって、防水板１１の姿勢を検出する防水板姿勢検出手段１３と、防水板に関する情報を処理するサーバーに、防水板姿勢検出手段１３で検出された前記姿勢に関する情報を送信する送信手段１６とを備える。防水板１１が設置されている場所の水位を検出する水位検出手段１４をさらに備え、送信手段１６が、水位検出手段１４で検出された水位に関する情報をサーバーに送信する。【選択図】  図３
2020200664.tif 000002
【特許請求の範囲】
【請求項１】
浮力により起立する防水板で水を堰き止める防水装置であって、
前記防水板の姿勢を検出する防水板姿勢検出手段と、
前記防水板に関する情報を処理するサーバーに、前記防水板姿勢検出手段で検出された前記姿勢に関する情報を送信する送信手段とを備える
ことを特徴とする防水装置。
【請求項２】
前記送信手段は、前記防水板が所定の倒伏姿勢から所定の起立姿勢に転じた場合及び前記防水板が前記起立姿勢から前記倒伏姿勢に転じた場合のみ、前記サーバーに前記姿勢に関する情報を送信する
ことを特徴とする請求項１に記載の防水装置。
【請求項３】
前記防水板が設置されている場所の水位を検出する水位検出手段をさらに備え、
前記送信手段が、前記水位検出手段で検出された前記水位に関する情報を前記サーバーに送信する
ことを特徴とする請求項１又は２に記載の防水装置。
【請求項４】
前記送信手段は、前記水位が所定の水位未満から前記所定の水位以上に転じた場合及び前記水位が前記所定の水位以上から前記所定の水位未満に転じた場合のみ、前記サーバーに前記水位に関する情報を送信する
ことを特徴とする請求項３に記載の防水装置。
【請求項５】
浮力により起立する防水板で水を堰き止める防水装置を監視する防水装置監視システムであって、
前記防水板の姿勢を検出する防水板姿勢検出手段と、
前記防水板姿勢検出手段で検出された前記姿勢に関する情報を送信する送信手段と、
前記防水板に関する情報を処理するサーバーとを備え、
前記サーバーが、前記送信手段により送信された情報を受信する受信手段と、前記防水板に関する情報をユーザーに報知する報知手段とを有する
ことを特徴とする防水装置監視システム。
【請求項６】
前記サーバーが、前記防水板が所定の起立姿勢又は所定の倒伏姿勢のいずれであるかを判定する起伏判定手段をさらに有し、前記防水板が前記起立姿勢であると判定された場合に、前記報知手段が、防水板が起立している旨をユーザーに報知する
ことを特徴とする請求項５に記載の防水装置監視システム。
【請求項７】
前記防水板が設置されている場所の水位を検出する水位検出手段をさらに備え、
前記送信手段が、前記水位に関する情報を前記サーバーの前記受信手段に送信し、
前記サーバーが、前記水位が所定の水位以上の高水位又は前記所定の水位未満の低水位のいずれであるかを判定する水位判定手段をさらに有し、前記水位が前記高水位と判定された場合に、前記報知手段が、水位が上昇している旨をユーザーに報知する
ことを特徴とする請求項６に記載の防水装置監視システム。
【請求項８】
前記水位が前記低水位と判定され且つ前記防水板が前記起立姿勢であると判定された場合に、前記報知手段が、防水板が異常動作している旨をユーザーに報知する
ことを特徴とする請求項７に記載の防水装置監視システム。
【請求項９】
前記サーバーが、前記姿勢に関する情報及び前記水位に関する情報を記録する記録手段をさらに有する
ことを特徴とする請求項７又は８に記載の防水装置監視システム。
【請求項１０】
浮力により起立する防水板で水を堰き止める防水装置を監視する防水装置監視方法であって、
前記防水板が設置されている場所の水位に関する情報をサーバーが受信して、前記水位が所定の水位以上の高水位又は前記所定の水位未満の低水位のいずれであるかを前記サーバーが判定するステップと、
前記水位が前記高水位と判定された場合に、水位が上昇している旨を前記サーバーがユーザーに報知するステップとを備える
ことを特徴とする防水装置監視方法。
【請求項１１】
前記防水板の姿勢に関する情報を前記サーバーが受信して、前記防水板が所定の起立姿勢又は所定の倒伏姿勢のいずれであるかを前記サーバーが判定するステップと、
前記水位が前記高水位と判定され且つ前記防水板が前記起立姿勢であると判定された後、所定の時間経過後も引き続き前記防水板が前記起立姿勢であると判定された場合に、防水板が起立したままである旨を前記サーバーがユーザーに報知するステップをさらに備える
ことを特徴とする請求項１０に記載の防水装置監視方法。
【請求項１２】
前記防水板の姿勢に関する情報を前記サーバーが受信して、前記防水板が所定の起立姿勢又は所定の倒伏姿勢のいずれであるかを前記サーバーが判定するステップと、
前記水位が前記高水位と判定され且つ前記防水板が前記倒伏姿勢であると判定された後、所定の時間経過後も引き続き前記防水板が前記倒伏姿勢であると判定された場合に、高水位のままである旨を前記サーバーがユーザーに報知するステップをさらに備える
ことを特徴とする請求項１０に記載の防水装置監視方法。
【請求項１３】
前記防水板の姿勢に関する情報を前記サーバーが受信して、前記防水板が所定の起立姿勢又は所定の倒伏姿勢のいずれであるかを前記サーバーが判定するステップと、
前記水位が前記低水位と判定され且つ前記防水板が前記起立姿勢であると判定された場合に、防水板が異常動作している旨を前記サーバーがユーザーに報知するステップをさらに備える
ことを特徴とする請求項１０に記載の防水装置監視方法。
【発明の詳細な説明】
【技術分野】
【０００１】
本発明は、浮力により起立する防水板で水をせき止める防水装置、防水装置監視システム及び防水装置監視方法に関する。
【背景技術】
【０００２】
近年、台風や前線の活発化による大雨に加え、気候変動やヒートアイランド現象などの影響により、狭い範囲に短時間で猛烈に降る雨（いわゆるゲリラ豪雨）が、都市部を中心に各地で観測され、多くの浸水被害が報告されている。中でも、地下鉄・地下街・地下駐車場・地下エレベーター等の地下空間への出入口、及びマンション・オフィスビル・公共施設・ショッピングセンター等の生活空間への出入口は、特に被害が甚大となる。
【０００３】
洪水時に雨水の侵入を防止するため、防水板が利用されている。防水板の一種として、水による浮力で通路を堰き止めるよう構成された防水板が知られている（図８参照）。この防水板９００は、平常時は、床面９０２に設けられた凹部９０２ａに倒伏姿勢で収容されており、雨水により凹部９０２ａ内の水位が上昇すると、浮力により防水板９００が図の矢印の方向に起立して、これにより通路９０１（床面９０２、側壁９０３及び側壁９０４で区画されている）を堰き止める。この防水板９００により、集中豪雨などで水位が上昇しても、出入口からの浸水を防ぐことができる。
【０００４】
この防水板９００は、水位が上昇すると自動的に起立して通路９０１を堰き止める。そして水位が下がると、防水板９００は自動的に倒伏して凹部９０２ａに収容される。この間、人は何らの操作をする必要がない。そのため、ユーザーは、防水板が作動したのかしなかったのか、作動したとすればいつ作動したのかを、知ることができない。もしも監視カメラを設置して防水板の作動を監視するとすれば、電源を設置する必要が生じる上に消費電力が多いため、高コストとなる。
【０００５】
また、防水板は主に集中豪雨が発生したときに作動するものであり、そのため実際に防水板が作動する頻度は必ずしも高くない。そのため、防水板に関するメンテナンスは疎かになりがちである。もしも防水板のメンテナンスに不備があれば、いざというときに起動しないおそれがある。防水板が設置されている場所の排水状態に不備がある場合は、洪水が発生する程の雨量でなくとも、防水板が設置されている場所だけ水位が上昇し、それにより、不必要に防水板が起立することも起こり得る。そのため、防水板のユーザーにメンテナンスを促すために、防水板の情報を取得することが求められていた。
【先行技術文献】
【特許文献】
【０００６】
【特許文献１】特開２０１６−１４２０３０号公報
【発明の概要】
【発明が解決しようとする課題】
【０００７】
上記問題点を鑑みて、本発明は、浮力により起立する防水板に関する情報を取得することができる防水装置、防水装置監視システム及び防水装置監視方法を提供することを目的とする。
【課題を解決するための手段】
【０００８】
本発明は、上記課題を解決するためになされたもので、請求項１に記載の発明は、浮力により起立する防水板で水を堰き止める防水装置であって、前記防水板の姿勢を検出する防水板姿勢検出手段と、前記防水板に関する情報を処理するサーバーに、前記防水板姿勢検出手段で検出された前記姿勢に関する情報を送信する送信手段とを備えることを特徴とする防水装置である。
【０００９】
請求項１に記載の発明によれば、簡易な構成で防水板の姿勢に関する情報を取得することが可能な防水装置を提供できる。
【００１０】
請求項２に記載の発明は、前記送信手段は、前記防水板が所定の倒伏姿勢から所定の起立姿勢に転じた場合及び前記防水板が前記起立姿勢から前記倒伏姿勢に転じた場合のみ、前記サーバーに前記姿勢に関する情報を送信することを特徴とする請求項１に記載の防水装置である。
【００１１】
請求項２に記載の発明によれば、防水板の姿勢に関する情報を取得するための消費電力が少ない防水装置を提供できる。
【００１２】
請求項３に記載の発明は、前記防水板が設置されている場所の水位を検出する水位検出手段をさらに備え、前記送信手段が、前記水位検出手段で検出された前記水位に関する情報を前記サーバーに送信することを特徴とする請求項１又は２に記載の防水装置である。
【００１３】
請求項３に記載の発明によれば、簡易な構成で防水板が設置されている場所の水位に関する情報を取得することが可能な防水装置を提供できる。
【００１４】
請求項４に記載の発明は、前記送信手段は、前記水位が所定の水位未満から前記所定の水位以上に転じた場合及び前記水位が前記所定の水位以上から前記所定の水位未満に転じた場合のみ、前記サーバーに前記水位に関する情報を送信することを特徴とする請求項３に記載の防水装置である。
【００１５】
請求項４に記載の発明によれば、防水板が設置されている場所の水位に関する情報を取得するための消費電力が少ない防水装置を提供できる。
【００１６】
請求項５に記載の発明は、浮力により起立する防水板で水を堰き止める防水装置を監視する防水装置監視システムであって、前記防水板の姿勢を検出する防水板姿勢検出手段と、前記防水板姿勢検出手段で検出された前記姿勢に関する情報を送信する送信手段と、前記防水板に関する情報を処理するサーバーとを備え、前記サーバーが、前記送信手段により送信された情報を受信する受信手段と、前記防水板に関する情報をユーザーに報知する報知手段とを有することを特徴とする防水装置監視システムである。
【００１７】
請求項５に記載の発明によれば、防水板に関する情報をユーザーに報知することが可能な防水装置監視システムを提供できる。
【００１８】
請求項６に記載の発明は、前記サーバーが、前記防水板が所定の起立姿勢又は所定の倒伏姿勢のいずれであるかを判定する起伏判定手段をさらに有し、前記防水板が前記起立姿勢であると判定された場合に、前記報知手段が、防水板が起立している旨をユーザーに報知することを特徴とする請求項５に記載の防水装置監視システムである。
【００１９】
請求項６に記載の発明によれば、防水板の姿勢について、防水板が起立している旨をユーザーに報知することが可能な防水装置監視システムを提供できる。
【００２０】
請求項７に記載の発明は、前記防水板が設置されている場所の水位を検出する水位検出手段をさらに備え、前記送信手段が、前記水位に関する情報を前記サーバーの前記受信手段に送信し、前記サーバーが、前記水位が所定の水位以上の高水位又は前記所定の水位未満の低水位のいずれであるかを判定する水位判定手段をさらに有し、前記水位が前記高水位と判定された場合に、前記報知手段が、水位が上昇している旨をユーザーに報知することを特徴とする請求項６に記載の防水装置監視システムである。
【００２１】
請求項７に記載の発明によれば、防水板が設置されている場所の水位について、水位が上昇している旨をユーザーに報知することが可能な防水装置監視システムを提供できる。
【００２２】
請求項８に記載の発明は、前記水位が前記低水位と判定され且つ前記防水板が前記起立姿勢であると判定された場合に、前記報知手段が、防水板が異常動作している旨をユーザーに報知することを特徴とする請求項７に記載の防水装置監視システムである。
【００２３】
請求項８に記載の発明によれば、水位上昇がないまま防水板が起立している場合に防水板が異常動作している旨をユーザーに報知することが可能な防水装置監視システムを提供できる。
【００２４】
請求項９に記載の発明は、前記サーバーが、前記姿勢に関する情報及び前記水位に関する情報を記録する記録手段をさらに有することを特徴とする請求項７又は８に記載の防水装置監視システムである。
【００２５】
請求項９に記載の発明によれば、取得した防水板に関する情報を記録することが可能な防水装置監視システムを提供することができる。
【００２６】
請求項１０に記載の発明は、浮力により起立する防水板で水を堰き止める防水装置を監視する防水装置監視方法であって、前記防水板が設置されている場所の水位に関する情報をサーバーが受信して、前記水位が所定の水位以上の高水位又は前記所定の水位未満の低水位のいずれであるかを前記サーバーが判定するステップと、前記水位が前記高水位と判定された場合に、水位が上昇している旨を前記サーバーがユーザーに報知するステップとを備えることを特徴とする防水装置監視方法である。
【００２７】
請求項１０に記載の発明によれば、防水板が設置されている場所の水位について、水位が上昇している旨をユーザーに報知することが可能な防水装置監視方法を提供できる。
【００２８】
請求項１１に記載の発明は、前記防水板の姿勢に関する情報を前記サーバーが受信して、前記防水板が所定の起立姿勢又は所定の倒伏姿勢のいずれであるかを前記サーバーが判定するステップと、前記水位が前記高水位と判定され且つ前記防水板が前記起立姿勢であると判定された後、所定の時間経過後も引き続き前記防水板が前記起立姿勢であると判定された場合に、防水板が起立したままである旨を前記サーバーがユーザーに報知するステップをさらに備えることを特徴とする請求項１０に記載の防水装置監視方法である。
【００２９】
請求項１１に記載の発明によれば、長時間防水板が起立したままである場合、その旨をユーザーに報知し、防水板にトラブルが発生している可能性を認識させる防水板監視方法を提供できる。
【００３０】
請求項１２に記載の発明は、前記防水板の姿勢に関する情報を前記サーバーが受信して、前記防水板が所定の起立姿勢又は所定の倒伏姿勢のいずれであるかを前記サーバーが判定するステップと、前記水位が前記高水位と判定され且つ前記防水板が前記倒伏姿勢であると判定された後、所定の時間経過後も引き続き前記防水板が前記倒伏姿勢であると判定された場合に、高水位のままである旨を前記サーバーがユーザーに報知するステップをさらに備えることを特徴とする請求項１０に記載の防水装置監視方法である。
【００３１】
請求項１２に記載の発明によれば、防水板が設置されている場所の水位が長時間高水位である場合、その旨をユーザーに報知し、排水に異常が発生している可能性を認識させる防水板監視方法を提供できる。
【００３２】
請求項１３に記載の発明は、前記防水板の姿勢に関する情報を前記サーバーが受信して、前記防水板が所定の起立姿勢又は所定の倒伏姿勢のいずれであるかを前記サーバーが判定するステップと、前記水位が前記低水位と判定され且つ前記防水板が前記起立姿勢であると判定された場合に、防水板が異常動作している旨を前記サーバーがユーザーに報知するステップをさらに備えることを特徴とする請求項１０に記載の防水装置監視方法である。
【００３３】
請求項１３に記載の発明によれば、水位が上昇していないにもかかわらず防水板が起立している場合に防水板が異常動作している可能性を認識させる防水装置監視方法を提供できる。
【発明の効果】
【００３４】
本発明によれば、浮力により起立する防水板に関する情報を、簡易な構成で、取得することができる。
【図面の簡単な説明】
【００３５】
【図１】本発明の実施形態に係る防水装置を示す図であって、防水板が倒伏している状態を一部を破断して示す平面図である。
【図２】図１におけるＡ−Ａ断面を示す断面図である。
【図３】図２におけるＢ部を拡大して示す拡大断面図である。
【図４】本発明の実施形態に係る防水装置監視システムの概略図である。
【図５】本発明の実施形態に係る防水装置監視方法の処理の流れを示すフローチャートであって、ステップＳ０１からステップＳ０７までを示すフローチャートである。
【図６】本発明の実施形態に係る防水装置監視方法の処理の流れを示すフローチャートであって、ステップＳ０８からステップＳ１６までを示すフローチャートである。
【図７】本発明の実施形態に係る防水装置監視方法の処理の流れを示すフローチャートであって、ステップＳ１７からステップＳ２３までを示すフローチャートである。
【図８】従来の防水板の一例を示す斜視図である。
【発明を実施するための形態】
【００３６】
次に、本発明を適用した防水装置、防水装置監視システム及び防水装置監視方法の実施形態について、図面を参照しながら説明する。なお、以下に述べる実施形態は、本発明の好適な実施形態であるから、技術的に好ましい種々の限定が付されているが、本発明の範囲は、以下の説明において特に本発明を限定する旨の記載がない限り、これらの態様に限られるものではない。
【００３７】
（防水装置の実施形態）
本発明に係る防水装置の実施形態について、図１〜３に基づき説明する。図１は、本発明の実施形態に係る防水装置を示す図であって、防水板が倒伏している状態を一部を破断して示す平面図である。図２は、図１におけるＡ−Ａ断面を示す断面図であり、図３は、図２におけるＢ部を拡大して示す拡大断面図である。なお、図２において、防水板が起立している状態を二点鎖線で示している。
【００３８】
まず、本実施形態に係る防水装置１０の構成について図１，２に基づき説明する。防水装置１０は通路９０に設置されている。通路９０は、床面９１及び側壁９３，９４で区画されており、図１，２における右方に出入口（図示省略）が存在する。洪水が発生した場合、水は通路９０を矢印で示す方向に流れる。
【００３９】
防水装置１０は主要な構成要素として、防水板１１、蝶番１２、近接センサー１３、水位センサー１４、制御ボックス１５及びアンテナ１６を備えている。防水板１１は、図１に示すように平面視で矩形に構成されており、蝶番１２により床面９１と結合されている。防水板１１の比重は水の比重より小さく設定されており、洪水が発生して通路９０の水位が上昇すると、防水板１１は浮力により起立する（図２の二点鎖線部参照）。防水板１１と床面９１及び側壁９３，９４との間は水密となっており、起立している状態では防水板１１は通路９０を堰き止め、防水板１１より右側（下流側）に水が流入するのを防止する。
【００４０】
防水板１１は、先述の通り蝶番１２により床面９１と結合されている。蝶番１２が有する回転軸１２ａは、防水板１１の一辺に沿って配置されており、防水板１１は回転軸１２ａを中心に回転可能となっている。蝶番１２は、回転軸１２ａが床面９１に対して平行となるよう配置されている。図１，２に示すように、側壁９３，９４にはそれぞれストッパー９３ａ，９４ａが突出するよう設けられており、図２において時計回りに回転する防水板１１は、ストッパー９３ａ，９４ａに当たることで、時計回りの回転が制限される。なお、防水板１１の回転を制限するには任意の手段を適用することができる。
【００４１】
床面９１には凹部９１ａが形成されており、防水板１１が倒伏している状態では、図２に示すように、防水板１１は凹部９１ａに収容される。このとき、防水板１１の下面が凹部９１ａ内の支持面９１ｂに接地しつつ、防水板１１の上面は床面９１と同じ高さとなる。
【００４２】
凹部９１ａにはグレーチング９５が設けられている。グレーチング９５は、その上面が床面９１と同じ高さになるよう設置されている。降雨時は、雨水は床面９１からグレーチング９５を通り、凹部９１ａに溜まる。また凹部９１ａの内部には排水口９１ｃが設けられており、排水口９１ｃは外部に通じる排水管９１ｄに繋がっている。凹部９１ａ内の雨水は、排水口９１ｃから排水管９１ｄを通って、外部に排出される。
【００４３】
凹部９１ａに流入する雨水の量が排水口９１ｃによる排水能力を超えると、凹部９１ａに雨水が溜まり始める。凹部９１ａ内の水位が上昇すると、凹部９１ａ内で倒伏している状態の防水板１１には浮力が生じ、起立動作を開始する。すなわち、防水板１１を収容する凹部９１ａが床面９１に設けられていることにより、洪水時には、防水板１１は早期に起立動作を開始することになる。起立動作を開始した後、防水板１１は、水位が上昇するのに従って回転軸１２ａ周りに、図２における時計方向に回転してゆき、防水板１１がストッパー９３ａ，９４ａに当たると、回転動作が終了する。
【００４４】
次に、防水板１１に関する情報を取得するための要素である、近接センサー１３、水位センサー１４、制御ボックス１５及びアンテナ１６について、図１〜３に基づいて説明する。図３に示すように、近接センサー１３は、磁気を検知する検知部１３ａとマグネット１３ｂとから構成される。検知部１３ａは、凹部９１ａ内に固定された構造物に結合されている。マグネット１３ｂは防水板１１に結合されている。防水板１１が倒伏している姿勢で、検知部１３ａとマグネット１３ｂとは対向するよう配置されている。
【００４５】
検知部１３ａはケーブルで制御ボックス１５に接続されている。近接センサー１３は、マグネット１３ｂが検知部１３ａに対して所定の距離より近づいている場合には、ＯＦＦ信号を出し、マグネット１３ｂが検知部１３ａから所定の距離以上離れている場合には、ＯＮ信号を出す。
【００４６】
すなわち防水板１１が、図２の実線で示す倒伏姿勢から、所定の角度以上起き上がっている場合には、近接センサー１３からＯＮ信号が出され、起き上がっている角度が所定の角度より小さければ、ＯＦＦ信号が出される。このように、近接センサー１３は、防水板１１の姿勢を検出する防水板姿勢検出手段として機能する。
【００４７】
防水板１１に関する情報を処理するにあたって、近接センサー１３がＯＦＦ信号を出している場合には防水板１１が倒伏姿勢であるとして、近接センサー１３がＯＮ信号を出している場合には防水板１１が起立姿勢であるとして取り扱うことができる。なお倒伏姿勢と起立姿勢の境界は、近接センサー１３の感度や設置位置によって任意に設定することができる。
【００４８】
水位センサー１４は図３に示すように、グレーチング９５の下方に配置されており、凹部９１ａ内に固定された構造物に結合されている。水位センサー１４はケーブルを介して制御ボックス１５に信号を出力するよう構成されている。水位センサー１４は、水より比重の小さいフロート１４ａが上下に移動可能に構成されている。水位センサー１４は、フロート１４ａが上端１４ｂに到達した場合にＯＮ信号を出し、フロート１４ａが上端１４ｂに到達していない場合にＯＦＦ信号を出す。したがって、水位センサー１４は凹部９１ａ内の水位を検出する水位検出手段として機能し、所定の水位以上の場合にＯＮ信号を出し、所定の水位未満の場合はＯＦＦ信号を出す。
【００４９】
防水板１１に関する情報を処理するにあたって、水位センサー１４がＯＦＦ信号を出している場合には凹部９１ａ内の水位は低水位であるとして、水位センサー１４がＯＮ信号を出している場合には凹部９１ａ内の水位は高水位であるとして取り扱うことができる。
【００５０】
なお、低水位と高水位とを区分けする閾値は、水位センサー１４の設置位置（上端１４ｂの位置）によって任意に設定可能である。浮力により防水板１１が起立し始める水位を閾値とした場合、凹部９１ａ内の水位が上昇していくと、近接センサー１３と水位センサー１４は、ほぼ同時にＯＦＦ信号からＯＮ信号に転じることになる。凹部９１ａ内の水位が低下していくと、近接センサー１３と水位センサー１４は、ほぼ同時にＯＮ信号からＯＦＦ信号に転じることになる。
【００５１】
浮力により防水板１１が起立し始める水位よりも低い水位を閾値とした場合、凹部９１ａ内の水位が上昇していくと、水位センサー１４が先にＯＦＦ信号からＯＮ信号に転じ、その後防水板１１が起立し始め近接センサー１３がＯＦＦ信号からＯＮ信号に転じることになる。凹部９１ａ内の水位が低下していくと、防水板１１が先に倒伏姿勢となり近接センサー１３がＯＮ信号からＯＦＦ信号に転じ、その後水位センサー１４がＯＮ信号からＯＦＦ信号に転じることになる。本実施形態では、浮力により防水板１１が起立し始める水位よりも低い水位が、低水位と高水位とを区分けする閾値となるよう、水位センサー１４を配置している。
【００５２】
図３に示すように、制御ボックス１５はグレーチング９５の下方に配置されており、凹部９１ａ内に固定された構造物に結合されている。制御ボックス１５の内部には、制御基板（図示省略）及び電池（図示省略）が収容されている。制御ボックス１５の制御基板には、近接センサー１３、水位センサー１４及びアンテナ１６が接続されている。制御ボックス１５は、近接センサー１３及び水位センサー１４の信号を取得して、アンテナ１６を介して外部に無線送信する。制御ボックス１５に収容されている電池は、制御基板及びこれに接続された機器に給電する。また制御ボックス１５は防水が施されており、凹部９１ａが浸水した場合でも正常に作動するよう構成されている。
【００５３】
アンテナ１６は、図１〜３に示すように薄い略矩形形状を有しており、側壁９３に設置されている。アンテナ１６は、制御ボックス１５に接続されており、近接センサー１３及び水位センサー１４により取得された防水板１１に関する情報を、基地局に向けて無線送信する。後述するように、基地局に送られた情報は通信網を経由してサーバーに送信され、そのサーバーで防水板１１に関する情報が処理される。すなわち、アンテナ１６は、防水板１１の情報をサーバーに送信する送信手段として機能する。
【００５４】
制御ボックス１５及びアンテナ１６は、近接センサー１３及び水位センサー１４それぞれが、ＯＦＦ信号からＯＮ信号に転じた場合及びＯＮ信号からＯＦＦ信号に転じた場合にのみ、基地局に無線送信するように構成されている。すなわち、防水板１１の姿勢に関しては、倒伏姿勢から起立姿勢に転じた場合及び起立姿勢から倒伏姿勢に転じた場合のみ、その情報が基地局に送信される。防水板１１が設置されている場所の水位に関しては、低水位から高水位に転じた場合及び高水位から低水位に転じた場合のみ、その情報が基地局に送信される。このように構成することより、アンテナ１６が電波を送出する機会が少なくなり、消費電力が抑えられるため、電池の寿命が延び、長期間電池を交換することなく防水板に関する情報を送信することが可能となる。また送信される情報量も少ないため、低速な通信回路を使用しても十分に送信可能となる。
【００５５】
なお図に示すアンテナ１６は、凹部９１ａの外部に設置されているが、基地局に電波が到達できるよう、任意の場所に設置することができる。
【００５６】
本実施形態の防水装置１０を用いることにより、防水板１１に関する情報を取得することができる。また、取得した防水板１１に関する情報に応じて、適宜な処理を行うことができる。また、防水板１１を遠隔で監視することができる。
【００５７】
（防水装置監視システムの実施形態）
次に、本発明に係る防水装置監視システムの実施形態について、図４に基づき説明する。図４は、本発明の実施形態に係る防水装置監視システムの概略図である。防水装置監視システム１００は、先述の防水装置１０を監視するシステムである。なお本実施形態に係る防水装置監視システム１００を説明するために、先述の防水装置１０の説明で用いた図１〜３に示す符号を適宜使用する。
【００５８】
図４に示すように、防水装置監視システム１００は主要な構成要素として、先述した構成の防水装置１０、基地局２０、通信網３０、サーバー４０、基地局５０、携帯端末６０及び固定端末７０を備えている。基地局２０は、防水装置１０（アンテナ１６）が送出する信号を受信可能に構成されており、通信網３０に接続されている。サーバー４０は通信網３０に接続されて情報を送受信可能になっており、防水板に関する情報を処理する。基地局５０は、携帯端末６０と無線通信可能に構成されており、通信網３０に接続されている。固定端末７０は通信網３０に接続されている。ここで携帯端末６０及び固定端末７０は、防水板に関する情報を必要とするユーザーが有する端末である。なお、ユーザーには、防水板が設置された施設の所有者や管理者だけでなく、防水板の管理者や代理店、製造者も含まれる。
【００５９】
サーバー４０は、通信網３０に接続された通信部４１、通信部４１に接続された制御部４２及び制御部４２に接続された記憶部４３を有している。制御部４２は、受信した防水板に関する情報を処理するとともに、サーバー４０全体の動作を制御する。通信部４１は防水板に関する情報を受信すると共に、制御部４２の制御により、携帯端末６０及び／又は固定端末７０に情報を送信する。すなわち、通信部４１は防水装置１０から送信された情報を受信する受信手段として機能し、通信部４１及び制御部４２は、防水板に関する情報をユーザーに報知する報知手段として機能する。記憶部４３は、制御部４２の制御により、防水板に関する情報を記録する。すなわち記憶部４３は防水板に関する情報を記録する記録手段として機能する。
【００６０】
次に、この防水装置監視システム１００における情報のやり取り及び情報処理について説明する。
【００６１】
（防水板の姿勢の監視）
防水装置１０は、防水板１１に関する情報として、防水板１１の姿勢を先述の近接センサー１３により取得し、アンテナ１６を介してサーバー４０に送信する。サーバー４０の通信部４１は、防水板の情報を受信し、制御部４２は、近接センサー１３の信号に基づき、防水板１１が倒伏姿勢又は起立姿勢のいずれであるかを判定する。すなわち、制御部４２は起伏判定手段として機能する。先述の通り、防水板１１が倒伏姿勢から所定の角度以上起き上がっている場合には、近接センサー１３はＯＮ信号を送出し、起き上がっている角度が所定の角度より小さければＯＦＦ信号を送出するので、制御部４２は、近接センサー１３がＯＮ信号を出していれば起立姿勢と判定し、ＯＦＦ信号であれば倒伏姿勢と判定する。
【００６２】
防水板１１が起立姿勢であると判定された場合、制御部４２は、防水板が起立している旨のメッセージを、通信部４１から通信網３０を介して、携帯端末６０及び／又は固定端末７０に送信する。これによりユーザーは、防水板１１が起立していることを認知することができる。なおこのメッセージは、電子メールやプッシュ送信など任意の形態を採用することができる。
【００６３】
また、制御部４２は、判定された防水板１１の姿勢を記憶部４３に記録する。記憶される情報として、防水板の個体毎に付与された識別子、倒伏姿勢から起立姿勢へと転じた日時、起立姿勢から倒伏姿勢へと転じた日時、ユーザーへメッセージを送信した日時、メッセージの内容等が、好適に選択される。
【００６４】
なお、先述の通り、防水装置１０の近接センサー１３は、ＯＦＦ信号からＯＮ信号に転じた場合及びＯＮ信号からＯＦＦ信号に転じた場合にのみ、サーバー４０に信号を送信する。そのため制御部４２は、近接センサー１３がＯＦＦ信号からＯＮ信号に転じたこと受信した場合に、防水板が起立姿勢であると判定すればよく、その後、近接センサー１３がＯＮ信号からＯＦＦ信号に転じたこと受信した場合に、防水板が倒伏姿勢であると判定すればよい。
【００６５】
（防水板が設置されている場所の水位の監視）
防水装置１０は、防水板に関する情報として、防水板が設置されている場所の水位を先述の水位センサー１４により取得し、アンテナ１６を介してサーバー４０に送信する。サーバー４０の通信部４１は、防水板の情報を受信し、制御部４２は、水位センサー１４の信号に基づき、防水板が設置されている場所の水位が、所定の水位以上の高水位であるのか、所定の水位未満の低水位であるのかを判定する。先述の通り、水位センサー１４は所定の水位以上の場合にはＯＮ信号を送出し、所定の水位未満の場合はＯＦＦ信号を送出するので、制御部４２は、水位センサー１４がＯＮ信号を出していれば高水位と判定し、ＯＦＦ信号であれば低水位と判定する。
【００６６】
防水板が設置されている場所の水位が高水位と判定された場合、制御部４２は、水位が上昇している旨のメッセージを、通信部４１から通信網３０を介して、携帯端末６０及び／又は固定端末７０に送信する。これによりユーザーは、防水板が設置されている場所の水位が上昇していることを認知することができる。なおこのメッセージは、電子メールやプッシュ送信など任意の形態を採用することができる。
【００６７】
また、制御部４２は、判定された、防水板が設置されている場所の水位を、記憶部４３に記録する。記録される情報として、防水板の個体毎に付与された識別子、低水位から高水位へと転じた日時、高水位から低水位へと転じた日時、ユーザーへメッセージを送信した日時、メッセージの内容等が、好適に選択される。
【００６８】
なお、先述の通り、防水装置１０の水位センサー１４は、ＯＦＦ信号からＯＮ信号に転じた場合及びＯＮ信号からＯＦＦ信号に転じた場合にのみ、サーバー４０に信号を送信する。そのため制御部４２は、水位センサー１４がＯＦＦ信号からＯＮ信号に転じたこと受信した場合に、高水位であると判定すればよく、その後、水位センサー１４がＯＮ信号からＯＦＦ信号に転じたこと受信した場合に、低水位であると判定すればよい。
【００６９】
（防水装置の異常の報知）
防水板は、設置場所での水位の上昇に伴って起立姿勢に転じるのが正常な動作である。もしも水位が上昇することなく防水板が起立するのであれば、防水装置に何らかの異常（何者かが防水板を起こしたなど）が発生していることになる。この防水装置監視システム１００では、異常をユーザーに報知することができる。
【００７０】
すなわち、制御部４２により、防水板の設置場所の水位が低水位と判定されている状態（水位センサー１４がＯＦＦ信号を出している状態）において、防水板の姿勢が起立姿勢であると判定された場合（近接センサー１３がＯＦＦ信号からＯＮ信号に転じた場合）、制御部４２は、防水板が異常動作している旨のメッセージを、通信部４１から通信網３０を介して、携帯端末６０及び／又は固定端末７０に送信する。これによりユーザーは、防水板が異常動作していることを認知することができる。なおこのメッセージは、電子メールやプッシュ送信など任意の形態を採用することができる。
【００７１】
（防水装置監視方法）
次に本発明に係る防水装置監視方法の実施形態について、図５〜７に基づき説明する。図５〜７は本実施形態に係る防水装置監視方法の処理の流れを示すフローチャートである。なお本実施形態に係る防水装置監視方法を説明するために、先述の防水装置１０及び防水装置監視システム１００の説明で用いた図１〜４に示す符号を適宜使用する。
【００７２】
まずステップＳ０１で監視処理が開始し、ステップＳ０２に移る。ステップＳ０２では、制御部４２が、防水板の設置場所における水位を判定する。このステップでは、水位センサー１４についてＯＦＦ信号からＯＮ信号に転じたことをサーバー４０が受信した場合に、Ｓ０２，ＯＮとなる。水位センサー１４についてＯＦＦ信号からＯＮ信号に転じたことをサーバー４０が受信しない限りＳ０２，ＯＦＦである。
【００７３】
Ｓ０２，ＯＦＦの場合、ステップＳ０３に移る。ステップＳ０３では、制御部４２が防水板の姿勢を判定する。このステップでは、近接センサー１３についてＯＦＦ信号からＯＮ信号に転じたことをサーバー４０が受信した場合に、Ｓ０３，ＯＮとなる。近接センサー１３についてＯＦＦ信号からＯＮ信号に転じたことをサーバー４０が受信しない限りＳ０３，ＯＦＦである。
【００７４】
Ｓ０３，ＯＦＦの場合とは、水位が上昇しておらず防水板が起立していない、正常な状態である。この場合ステップＳ０４に移る。このステップＳ０４では引き続き監視を続けるため、ステップＳ０１に戻り引き続き監視処理を行う。
【００７５】
Ｓ０３，ＯＮの場合とは、水位が上昇していないにもかかわらず防水板が起立しているという状態で、異常な状態である。この場合ステップＳ０５に移る。ステップＳ０５では、制御部４２は、防水板が異常動作している旨のメッセージを、通信部４１から通信網３０を介して、携帯端末６０及び／又は固定端末７０に送信する。これによりユーザーは、防水板が異常動作していることを認知することができる。
【００７６】
ステップＳ０２，ＯＮの場合、すなわち水位が上昇して高水位となった場合、ステップＳ０６に移る。ステップＳ０６では、制御部４２は、記憶部４３に高水位に転じたことを記録する。そしてステップＳ０７に移る。
【００７７】
ステップＳ０７では、制御部４２は、水位が上昇している旨のメッセージを、通信部４１から通信網３０を介して、携帯端末６０及び／又は固定端末７０に送信する。これによりユーザーは、防水板が設置されている場所の水位が上昇していることを認知することができる。ステップＳ０７の処理の後はステップＳ０８に移る。
【００７８】
ステップＳ０８では、制御部４２が防水板の姿勢を判定する。このステップでは、近接センサー１３についてＯＦＦ信号からＯＮ信号に転じたことをサーバー４０が受信した場合に、Ｓ０８，ＯＮとなる。近接センサー１３についてＯＦＦ信号からＯＮ信号に転じたことをサーバー４０が受信しない限りＳ０８，ＯＦＦである。
【００７９】
Ｓ０８，ＯＮの場合とは、水位が上昇し、その後防水板が起立した状態であり、この場合ステップＳ０９に移る。Ｓ０８，ＯＦＦの場合はステップＳ１７に移る。
【００８０】
ステップＳ０９では、制御部４２は、記憶部４３に防水板が起立姿勢に転じたことを記録する。そしてステップＳ１０に移る。ステップＳ１０では、制御部４２は、水位の上昇に伴い防水板が起立する旨のメッセージを、通信部４１から通信網３０を介して、携帯端末６０及び／又は固定端末７０に送信する。これによりユーザーは、防水板が設置されている場所の水位が上昇して防水板が起立することを認知することができる。ステップＳ１０の後はステップＳ１１に移る。
【００８１】
ステップＳ１１では、制御部４２が防水板の姿勢を判定する。このステップでは、近接センサー１３についてＯＮ信号からＯＦＦ信号に転じたことをサーバー４０が受信した場合に、Ｓ１１，ＯＦＦとなる。近接センサー１３についてＯＮ信号からＯＦＦ信号に転じたことをサーバー４０が受信しない限りＳ１１，ＯＮである。
【００８２】
Ｓ１１，ＯＮの場合とは、水位が高水位のままであり且つ防水板が起立姿勢のままの状態であり、この場合ステップＳ１２に移る。ステップＳ１２では、所定の時間（Ｘ時間）経過するのを待つ。この時間は任意に設定できる。そしてステップＳ１３に移る。ステップＳ１３では、制御部４２は、次のステップでユーザーにメッセージを送信すること及びその送信内容を、記憶部４３に記録する。そしてステップＳ１４に移る。ステップＳ１４では、制御部４２は、Ｘ時間防水板が起立したままである旨のメッセージを、通信部４１から通信網３０を介して、携帯端末６０及び／又は固定端末７０に送信する。これによりユーザーは、豪雨が長時間続き水位が低下せず防水板が起立したままである可能性や、防水板に異物が挟まって倒伏できないなどトラブルが発生している可能性を認識することができる。ステップＳ１４の処理の後はステップＳ１１に戻る。
【００８３】
ステップＳ１１，ＯＦＦの場合、すなわち防水板が倒伏した場合、ステップＳ１５に移る。ステップＳ１５では、制御部４２は、記憶部４３に防水板が倒伏姿勢に転じたことを記録する。そしてステップＳ１６に移る。ステップＳ１６では、制御部４２は、防水板が倒伏した旨のメッセージを、通信部４１から通信網３０を介して、携帯端末６０及び／又は固定端末７０に送信する。これによりユーザーは、防水板が正常に倒伏したことを認知することができる。ステップＳ１６の処理の後はステップＳ１７に移る。
【００８４】
ステップＳ１７では、制御部４２が防水板の設置場所における水位を判定する。このステップでは、水位センサー１４についてＯＮ信号からＯＦＦ信号に転じたことをサーバー４０が受信した場合に、Ｓ１７，ＯＦＦとなる。水位センサー１４についてＯＮ信号からＯＦＦ信号に転じたことをサーバー４０が受信しない限りＳ１７，ＯＮである。
【００８５】
Ｓ１７，ＯＮの場合とは、防水板が倒伏姿勢であり水位が高水位のままである状態であり、この場合ステップＳ１８に移る。ステップＳ１８では、所定の時間（Ｙ時間）経過するのを待つ。この時間は任意に設定できる。そしてステップＳ１９に移る。ステップＳ１９では、制御部４２は、次のステップでユーザーにメッセージを送信すること及びその送信内容を、記憶部４３に記録する。そしてステップＳ２０に移る。ステップＳ２０では、制御部４２は、Ｙ時間高水位のままである旨のメッセージを、通信部４１から通信網３０を介して、携帯端末６０及び／又は固定端末７０に送信する。これによりユーザーは、防水板の設置場所での排水に異常が発生している可能性を認識することができ、排水口９１ｃ（図１参照）の確認が促されることになる。ステップＳ２０の処理の後はステップＳ１７に戻る。
【００８６】
ステップＳ１７，ＯＦＦの場合、すなわち防水板が倒伏姿勢であり水位が低水位となった場合、ステップＳ２１に移る。ステップＳ２１では、制御部４２は、記憶部４３に水位が低水位に転じたことを記録する。そしてステップＳ２２に移る。ステップＳ２２では、制御部４２は、水位が低下した旨のメッセージを、通信部４１から通信網３０を介して、携帯端末６０及び／又は固定端末７０に送信する。これによりユーザーは、防水板の設置場所の水位が正常に低下したことを認知することができる。ステップＳ２２の処理の後はステップＳ２３に移り一連の処理が終わり、再度監視開始のステップＳ０１に戻る。
【００８７】
（防水装置の変形例）
次に、防水装置の変形例について、図１〜３に示す符号を使用して説明する。先述の実施形態では、防水板の姿勢を検出する防水板姿勢検出手段として、磁気を利用する非接触式の近接センサー１３を使用していたが、接触式のセンサーを防水板姿勢検出手段として使用することも可能である。また先述の実施形態では、防水板姿勢検出手段はＯＮ又はＯＦＦの二値を出力する近接センサー１３であったが、これに代えて、防水板の起き上がった角度を検知して数値として出力する角度センサーを使用してもよい。角度センサーで検出した角度をサーバー４０に送信し、制御部４２が倒伏姿勢であるか起立姿勢であるかを判定するよう構成することもできる。また記憶部４３に、角度を数値として継続的に記録するよう構成することもできる。
【００８８】
先述の実施形態では、防水板が設置されている凹部９１ａの水位を検出する水位検出手段として水位センサー１４を使用していたが、これに代えて、水位を数値として取得するセンサーを使用してもよい。検出した水位をサーバー４０に送信し、制御部４２が低水位であるか高水位であるかを判定することもできる。また記憶部４３に、水位を数値として継続的に記録するよう構成することもできる。
【００８９】
先述の実施形態では、水位センサー１４がグレーチング９５の下に配置されていたが、配置する場所はこれに限られない。水位センサー１４の上にグレーチング９５が位置するのを避けるようにして、上端１４ｂが、倒伏姿勢の防水板１１の上面及び床面９１とほぼ同じ高さとなるよう、水位センサー１４を配置することも可能である。このように配置すると、水位が防水板１１の上面及び床面９１の高さまで上昇した場合にＯＮ信号が出され、高水位であると判定されることになる。
【００９０】
先述の実施形態では、制御ボックス１５内に収容された電池が電力を供給するよう構成されているが、外部電源から給電するよう構成することも可能である。またその場合、近接センサー１３及び水位センサー１４それぞれが、ＯＦＦ信号からＯＮ信号及びＯＮ信号からＯＦＦ信号に転じた場合にのみサーバー４０に送信する構成に代えて、近接センサー１３及び水位センサー１４が検出した値を高頻度（例えば一定時間間隔）に送信するよう構成することも可能である。
【００９１】
（防水装置監視システムの変形例）
次に、防水装置監視システムの変形例について、図１〜４に示す符号を使用して説明する。先述の実施形態に係る防水装置監視システム１００では、一つの防水装置１０を監視するシステムとして構成されていたが、一つのサーバー４０を用いて複数の防水装置を監視するシステムとすることも勿論可能である。そして、それぞれの防水装置１０に関連付けられたユーザーの携帯端末６０及び／又は固定端末７０にメッセージを送信するよう構成することもできる。これにより、一つのサーバー４０で複数の防水装置を監視することができる。また、各地に設置された複数の防水板に関する情報を、一か所で収集することが可能となる。このように収集された情報は、防災・減災に有効に活用される。
【００９２】
（防水装置監視方法の変形例）
次に、防水装置監視方法の変形例について、図１〜７に示す符号を使用して説明する。先述の実施形態に係る防水装置監視方法では、ステップＳ０１で監視処理が開始した後ステップＳ０２に移り水位を判定するが、ステップＳ０２に移る前に、防水装置１０の制御ボックス１５が正常に動いていることを示す信号を定期的に（例えば一日一回）サーバー４０に送信するよう構成することができる。サーバー４０はこの信号を受信しなかった場合に、ユーザーに防水装置１０が正常に動いていない旨のメッセージを送信することができる。これによりユーザーは、制御ボックス１５の電池が切れている可能性や、アンテナ１６を介しての通信不良の可能性を認識することができる。
【００９３】
また、サーバー４０の制御部４２がユーザーの属性（施設の所有者、防水板の代理店など）に応じて、送信するメッセージを変えることも可能である。また送信先のユーザーを選択することも可能である。メッセージの変更及び送信先ユーザーの選択は、Ｓ０５，Ｓ０７，Ｓ１０，Ｓ１４，Ｓ１６，Ｓ２０，Ｓ２２いずれのステップにおいても適用できる。
【００９４】
また、防水装置１０は先述した通り、浮力により防水板１１が起立し始める水位よりも低い水位が、低水位と高水位とを区分けする閾値となるよう、水位センサー１４を配置しているが、浮力により防水板１１が起立し始める水位が、低水位と高水位とを区分けする閾値となるよう、水位センサー１４を配置することも可能である。その構成において、防水板１１が正常に作動するのであれば、凹部９１ａの水位が上昇していくと、近接センサー１３と水位センサー１４は、ほぼ同時にＯＦＦ信号からＯＮ信号に転じることになる。
【００９５】
その構成において、もしも水位センサー１４のみがＯＦＦ信号からＯＮ信号に転じて、近接センサー１３はＯＦＦ信号のままであるならば、防水板１１が起立するはずの水位まで上昇しているにもかかわらず、防水板１１は起立していないことを示唆する。その場合、出入口に雨水が流入している可能性が高まる。そこで防水装置監視方法の変形例として、水位センサー１４のみがＯＦＦ信号からＯＮ信号に転じて近接センサー１３はＯＦＦ信号のままである場合には、何らかの原因で防水板が作動していない旨をユーザーに報知するよう構成することができる。
【００９６】
また、先述の防水装置監視方法では、ステップＳ０８，ＯＮからステップＳ１１，ＯＦＦに至るまで、すなわち近接センサー１３がＯＮ信号を出しており防水板１１が起立している間は、水位センサー１４はＯＮ信号のまま、すなわち高水位となっているが、この間に水位センサー１４がＯＦＦ信号に転じた場合、すなわち防水板１１が起立したままであるのに水位が低下した場合、水位が低下したにもかかわらず防水板が倒伏しない旨のメッセージを、ユーザーに送信するよう構成することも可能である。
【符号の説明】
【００９７】
１０    防水装置
１００  防水装置監視システム
１１    防水板
１２    蝶番
１２ａ  回転軸
１３    近接センサー（防水板姿勢検出手段）
１３ａ  検知部
１３ｂ  マグネット
１４    水位センサー（水位検出手段）
１４ａ  フロート
１４ｂ  上端
１５    制御ボックス
１６    アンテナ（送信手段）
２０    基地局
３０    通信網
４０    サーバー
４１    通信部（受信手段）
４２    制御部（水位判定手段、防水板姿勢判定手段、起伏判定手段、報知手段）
４３    記憶部（記録手段）
５０    基地局
６０    携帯端末
７０    固定端末
９０    通路
９１    床面
９１ａ  凹部
９１ｂ  支持面
９１ｃ  排水口
９１ｄ  排水管
９３    側壁
９３ａ  ストッパー
９４    側壁
９４ａ  ストッパー
９５    グレーチング
【図１】
2020200664.tif 000003
【図２】
2020200664.tif 000004
【図３】
2020200664.tif 000005
【図４】
2020200664.tif 000006
【図５】
2020200664.tif 000007
【図６】
2020200664.tif 000008
【図７】
2020200664.tif 000009
【図８】
2020200664.tif 000010